(57)【特許請求の範囲】
【請求項１】
フランジ部を有する導体ピンの軸部を，ピン立て治具のピン穴に挿入させる際に用い，該ピン立て治具のピン穴に対応する位置に，上記導体ピンの上記フランジ部が収まるフランジ穴を設けてなる導体ピンの挿入案内治具を用い，
治具パレットの凹部に上方から上記ピン立て治具を配置すると共に，上記フランジ穴の位置と上記ピン穴の位置とがほぼ一致した状態になるように，上記挿入案内治具を上記ピン立て治具の上方に配置して上記治具パレットに対して位置決めし，
上記挿入案内治具の上方から上記導体ピンを落下させると共に，上記ピン立て治具が上記治具パレットと上記挿入案内治具との間をスライドするように，上記治具パレットを振動させ，
上記導体ピンの上記軸部が上記ピン穴に配置されると共に上記導体ピンの上記フランジ部が上記フランジ穴に配置されて，すべての上記ピン穴に上記導体ピンが配列された後，上記挿入案内治具，上記ピン立て治具及び上記治具パレットを重ねた状態で，上下を逆に反転し，それらの下方にプリント配線板を配置して，上記導体ピンのフランジ部を上記プリント配線板のハンダの部分に当接させ，
上記ハンダをリフローさせて，上記プリント配線板に上記導体ピンを立設させた状態で接合することを特徴とする挿入案内治具を用いた導体ピンの接合方法。
【請求項２】
請求項１において，上記フランジ穴の外径は，上記ピン穴の外径に対して１．１〜３．０倍の大きさであることを特徴とする挿入案内治具を用いた導体ピンの接合方法。
【請求項３】
請求項１又は２において，上記フランジ穴は，上方に向けて拡径したテーパ状に形成されていることを特徴とする挿入案内治具を用いた導体ピンの接合方法。
【発明の詳細な説明】
【０００１】
【技術分野】
本発明は，フランジ部を有する導体ピンの軸部を，ピン立て治具のピン穴に挿入させる際に用いる導体ピンの挿入案内治具に関する。
【０００２】
【従来技術】
従来より，プリント配線板に導体ピンを立設してハンダ付けするに当っては，その前工程において複数のピンを配列することができるピン穴を有するピン立て治具を使用する。そして，このピン立て治具に導体ピンを挿入して配列し，その後，このピン立て治具を上記プリント配線板に合わせて，導体ピンを該プリント配線板に立設し，ハンダ付けを行っている。
【０００３】
上記ピン立て治具に導体ピンを配列する際には，ピン立て治具の上方より導体ピンを落下させ，ピン立て治具を振動させて，導体ピンの軸部をピン立て治具のピン穴に挿入する。そして，導体ピンの配列が行われたときには，導体ピンは，そのフランジ部がピン穴の周辺に掛止されて，ピン立て治具に保持される。
このとき，上記ピン穴は，軸部の外径に対してある程度大きく形成されていた方が，ピン穴への導体ピンの挿入が容易である。
【０００４】
【解決しようとする課題】
しかしながら，上記ピン穴を大きくすると導体ピンの位置決め性が悪くなるので，あまり大きくすることができない。そのため，導体ピンの位置決め性を悪化させることなく，ピン穴に導体ピンの軸部を挿入することができる方法又は装置が期待されている。
また，近年のプリント配線板を小型化する需要に伴い，それに立設する導体ピンも小型化する。この場合には，導体ピンが軽量化することにより，上記ピン立て治具のピン穴への導体ピンの軸部を挿入することが困難になっている。
【０００５】
本発明は，かかる従来の問題点に鑑みてなされたもので，導体ピンをピン立て治具のピン穴に容易に挿入案内することができる導体ピンの挿入案内治具を提供しようとするものである。
【０００６】
【課題の解決手段】
第１の発明は，フランジ部を有する導体ピンの軸部を，ピン立て治具のピン穴に挿入させる際に用い，該ピン立て治具のピン穴に対応する位置に，上記導体ピンの上記フランジ部が収まるフランジ穴を設けてなる導体ピンの挿入案内治具を用い，
治具パレットの凹部に上方から上記ピン立て治具を配置すると共に，上記フランジ穴の位置と上記ピン穴の位置とがほぼ一致した状態になるように，上記挿入案内治具を上記ピン立て治具の上方に配置して上記治具パレットに対して位置決めし，
上記挿入案内治具の上方から上記導体ピンを落下させると共に，上記ピン立て治具が上記治具パレットと上記挿入案内治具との間をスライドするように，上記治具パレットを振動させ，
上記導体ピンの上記軸部が上記ピン穴に配置されると共に上記導体ピンの上記フランジ部が上記フランジ穴に配置されて，すべての上記ピン穴に上記導体ピンが配列された後，上記挿入案内治具，上記ピン立て治具及び上記治具パレットを重ねた状態で，上下を逆に反転し，それらの下方にプリント配線板を配置して，上記導体ピンのフランジ部を上記プリント配線板のハンダの部分に当接させ，
上記ハンダをリフローさせて，上記プリント配線板に上記導体ピンを立設させた状態で接合することを特徴とする挿入案内治具を用いた導体ピンの接合方法にある（請求項１）。
【０００７】
次に，本発明の作用効果につき説明する。
ここで，上記導体ピンは，軸部と該軸部よりも拡径したフランジ部とを有しており，フランジ部をプリント配線板に設けたハンダ部分に当接させて，ハンダ付けにより立設されるものである。また，上記ピン立て治具は，プリント配線板に上記導体ピンを整列して立設させるために用いるものである。
【０００８】
本発明においては，上記ピン立て治具に導体ピンを配列するに当って，該ピン立て治具のピン穴に対応する位置に上記フランジ穴を設けた導体ピンの挿入案内治具を用いる。この導体ピンの挿入案内治具は，そのフランジ穴が上記ピン立て治具のピン穴の位置にほぼ一致するように，ピン立て治具の上部に重ねて使用する。
【０００９】
そのため，上記導体ピンの軸部は，まず，挿入案内治具のフランジ穴に入り，その後，フランジ穴によってピン穴に案内されて，ピン穴に挿入案内されることができる。また，上記挿入案内治具を用いることにより，導体ピンが小型化した場合でも，ピン立て治具のピン穴へ導体ピンの軸部を挿入することが可能となる。
それ故，上記挿入案内治具によれば，上記導体ピンを上記ピン穴に容易に挿入案内することができる。
【００１０】
【発明の実施の形態】
上述した各本発明における好ましい実施の形態につき説明する。
上記第１の発明における導体ピンの挿入案内治具は，上記ピン立て治具の上部に重ねて使用するものである。また，挿入案内治具は，複数個のピン立て治具の上部に配置するよう構成されていることができる。
また，上記挿入案内治具及びピン立て治具には，各種ステンレス鋼，アルミニウム，チタン，４２アロイ等の材料を使用することができる。
【００１１】
また，上記フランジ穴の外径は，上記ピン穴の外径に対して１．１〜３．０倍の大きさであることが好ましい（請求項２）。この場合，上記導体ピンの軸部は，上記ピン穴に一層容易に挿入されることができるとともに，挿入された後，ピン穴の周辺に掛止して保持されることができる。
また，上記フランジ穴は，上方に向けて拡径したテーパ状に形成されていることが好ましい（請求項３）。この場合，上記導体ピンの軸部は，上記ピン穴に一層容易に挿入されることができる。
【００１２】
以下に，図面を用いて本発明の実施例につき説明する。
（実施例）
本例における導体ピン３の挿入案内治具１は，フランジ部３２を有する導体ピン３の軸部３１を，ピン立て治具２のピン穴２１に挿入させる際に用いる。
この挿入案内治具１には，上記ピン立て治具２のピン穴２１に対応する位置に，上記導体ピン３の上記フランジ部３２が収まるフランジ穴１１が設けてある。
【００１３】
以下に，これを詳説する。
図１に示すごとく，上記導体ピン３は，軸部３１と該軸部３１よりも拡径したフランジ部３２とを有している。
図２，図３に示すごとく，挿入案内治具１におけるフランジ穴１１の外径Ｄ２は，ピン立て治具２におけるピン穴２１の外径Ｄ１に対して約２．３倍の大きさを有している。
本例においては，，上記導体ピン３は，軸部３１の直径が０．３ｍｍ，フランジ部３２の直径が０．７ｍｍである。また，上記ピン立て治具２のピン穴２１の直径は０．３５ｍｍ，上記挿入案内治具１のフランジ穴の直径は０．７５ｍｍである。
【００１４】
図４に示すごとく，本例においては，上記ピン立て治具２に導体ピン３を配列する際には，上記ピン立て治具２を複数個配置するための治具パレット４を使用する。この治具パレット４は，ピン立て治具２を配置するために陥没した凹部４１を有しており，本例においては，この凹部４１は８箇所に設けてある。また，治具パレット４は，ピン立て治具２のピン穴２１に導体ピン３が挿入されているかを光を照射させて確認するための大小の連通穴４２を有している。
【００１５】
上記治具パレット４の中央部分には，ピン立て治具２の貫通穴２２の外形よりも若干小さな外径を有する凸部４３が設けてある。また，治具パレット４には，上記挿入案内治具１との位置決めを行う位置決めピン４４が設けてある。
【００１６】
図５に示すごとく，上記挿入案内治具１は，その上面側に導体ピン３が上記フランジ穴１１に入りやすくするための陥没部１２が設けてある。また，挿入案内治具１には，上記治具パレット４の位置決めピン４４を挿入させる位置決め穴１３が設けてある。
【００１７】
図６（ａ）に示すごとく，上記ピン立て治具２は，中央部分に貫通穴２２を有し，この貫通穴２２の周辺に上記ピン穴２１を複数有している。また，上記治具パレット４には，複数個のピン立て治具２を配置することができる。本例においては，８枚のピン立て治具２を治具パレット４の上記凹部４１に配置する。
【００１８】
なお，本例においては，互いに隣接する上記ピン穴２１は，それぞれ直線状に配置しているが，これに対し，図６（ｂ）に示すごとく，ピン穴２１は，隣接するピン穴２１と互いに斜めに位置する千鳥格子状に配置してあってもよい。
また，本例においては，上記挿入案内治具１のフランジ穴１１は直線状に形成されているが，これに対し，図７に示すごとく，フランジ穴１１は上方に向けて拡径したテーパ状に形成されていてもよい。
【００１９】
次に，ピン立て治具２に導体ピン３を挿入配列する方法につき説明する。
図８（ａ）に示すごとく，上記ピン立て治具２に導体ピン３を挿入配列するに当っては，上記治具パレット４の凸部４３にピン立て治具２の貫通穴２２を係合させて，上記治具パレット４の凹部４１に上方からピン立て治具２を配置する。
また，ピン立て治具２の上方には，上記挿入案内治具１を，その位置決め穴１３に治具パレット４の位置決めピン４４が挿入するようにして配置する。このとき，挿入案内治具１のフランジ穴１１の位置とピン立て治具２のピン穴２１の位置とがほぼ一致した状態になる。
【００２０】
そして，挿入案内治具１の上方から上記導体ピン３を落下させると共に，ピン立て治具２が上記治具パレット４と挿入案内治具１との間をスライドするように，治具パレット４を振動させる。このとき，図８（ｂ）に示すごとく，導体ピン３は，その軸部３１が上記挿入案内治具１のフランジ穴１１に入り，また，軸部３１がピン立て治具２のピン穴２１に挿入されると共に，フランジ部３２が，挿入案内治具１のフランジ穴１１に収まる。
【００２１】
次いで，図９（ａ）に示すごとく，すべてのピン穴２１に導体ピン３を配列した後，上記挿入案内治具１，ピン立て治具２及び治具パレット４を重ねた状態で，上下を逆に反転する。そして，それらの下方にプリント配線板５を配置し，上記導体ピン３の軸部３１をプリント配線板５のハンダ５１部分に当接させる。
そして，その後，図９（ｂ）に示すごとく，ハンダ５１をリフローさせて，プリント配線板５に導体ピン３を立設させた状態で接合する。
【００２２】
本例のように，上記ピン立て治具２の上方に挿入案内治具１を配置して，導体ピン３の軸部３１を一旦挿入案内治具１のフランジ穴１１に落とすことで，導体ピン３をピン穴２１に挿入案内することができる。こうして，導体ピン３の軸部３１はピン立て治具２のピン穴２１に挿入され，容易にピン立て治具２に導体ピン３を配列することができる。
【００２３】
また，上記ピン立て治具２を，上記治具パレット４と挿入案内治具１との間に挟持した状態で，治具パレット４を振動させ，ピン立て治具２を挿入案内治具１に対してスライドさせることにより一層容易に上記導体ピン３の挿入案内を行うことができる。
また，上記挿入案内治具１を用いることにより，導体ピン３が小型化した場合でも，ピン立て治具２のピン穴２１へ導体ピン３の軸部３１を挿入することが可能となる。
【図面の簡単な説明】
【図１】実施例における，導体ピンを示す斜視図。
【図２】実施例における，ピン立て治具を示す断面説明図。
【図３】実施例における，挿入案内治具を示す断面説明図。
【図４】実施例における，治具パレットを示す平面図。
【図５】実施例における，挿入案内治具を示す平面図。
【図６】実施例における，（ａ）ピン立て治具を示す平面図，（ｂ）他のピン立て治具を示す平面図。
【図７】実施例における，テーパ状のピン穴を有する挿入案内治具を示す断面説明図。
【図８】実施例における，導体ピンの挿入案内方法を示す図で，（ａ）挿入案内治具の上方から導体ピンを落下させて，導体ピンの軸部をピン立て治具のピン穴に挿入している状態，（ｂ）導体ピンの軸部をピン立て治具のピン穴に挿入した状態を示す断面説明図。
【図９】実施例における，導体ピンの挿入案内方法を示す図で，（ａ）ピン立て治具を挿入案内治具と治具パレットとの間に挟持した状態で，これらを上下逆に反転した状態，（ｂ）プリント配線板に導体ピンを立設して接合した状態を示す断面説明図。
【符号の説明】
１．．．挿入案内治具，
１１．．．フランジ穴，
２．．．ピン立て治具，
２１．．．ピン穴，
３．．．導体ピン，
３１．．．軸部，
３２．．．フランジ部，
４．．．治具パレット，
５．．．プリント配線板，
【図１】
0004552347.tif 000002
【図２】
0004552347.tif 000003
【図３】
0004552347.tif 000004
【図４】
0004552347.tif 000005
【図５】
0004552347.tif 000006
【図６】
0004552347.tif 000007
【図７】
0004552347.tif 000008
【図８】
0004552347.tif 000009
【図９】
0004552347.tif 000010